【手続補正書】
【提出日】平成28年9月13日(2016.9.13)
【手続補正１】
【補正対象書類名】特許請求の範囲
【補正対象項目名】全文
【補正方法】変更
【補正の内容】
【特許請求の範囲】
【請求項１】
遊技者の操作に応じて、遊技球が流下可能な遊技領域に遊技球を発射する発射手段と、
前記遊技領域に設けられる始動口に遊技球が入球することにより、特別遊技を行うか否かを判定する特別遊技判定手段と、
前記特別遊技判定手段により前記特別遊技を行うと判定された場合、前記遊技領域に設けられた少なくとも１つの特別入賞口を開閉させるラウンド遊技を複数回実行して、当該特別入賞口に遊技球を入球可能にさせる特別遊技を行う特別遊技実行手段と、
前記特別遊技実行手段により前記特別遊技が行われているときに前記特別入賞口に入球した遊技球が所定領域を通過することを条件に、当該特別遊技の終了後、遊技状態を遊技者にとって有利な遊技状態に移行させる遊技状態制御手段と、
前記発射手段により遊技球を発射すべきことを第１の表示手段にて報知する第１の報知手段と、
前記発射手段により遊技球を発射すべきことを前記第１の表示手段とは異なる第２の表示手段にて報知する第２の報知手段と、
音出力手段からの音量を操作に基づいて設定するための音量設定手段と、
前記特別入賞口の閉鎖期間に当該特別入賞口への遊技球の入球に基づく異常入賞エラーを判定する判定手段と、
前記判定手段にて前記異常入賞エラーと判定されると、当該異常入賞エラーを報知するためのエラー音声を出力するとともに、前記異常入賞エラーを外部情報端子へ出力するエラー出力手段と、
前記所定領域を遊技球が通過した際、当該所定領域の遊技球の通過を音にて報知する通過音出力手段と、を備え、
前記特別遊技実行手段は、
前記特別遊技判定手段により第１特別遊技を行うと判定された場合、所定のラウンド遊技において前記特別入賞口に入球した遊技球が前記所定領域を通過し易い開閉制御を行う当該第１特別遊技を行い、
前記特別遊技判定手段により第２特別遊技を行うと判定された場合、所定のラウンド遊技において前記特別入賞口に入球した遊技球が前記所定領域を通過し難い開閉制御を行う当該第２特別遊技を行い、
前記第１の報知手段は、
前記特別遊技における最初のラウンド遊技の際に、前記特別入賞口に向けて遊技球を発射すべきことを示す報知を行い、
前記特別遊技における前記所定のラウンド遊技の際に、
前記特別遊技判定手段により前記第１特別遊技を行うと判定されている場合は前記特別入賞口に向けて遊技球を発射すべきことを示す報知を行う一方、
前記特別遊技判定手段により前記第２特別遊技を行うと判定されている場合は前記特別入賞口に向けて遊技球を発射すべきことを示す報知を行わず、
前記第２の報知手段は、
少なくとも前記特別遊技の期間にわたって、前記特別遊技判定手段により前記第１特別遊技を行うと判定されている場合も、前記特別遊技判定手段により前記第２特別遊技を行うと判定されている場合も、遊技球を発射すべきことを報知し、
前記エラー出力手段は、前記音量設定手段にて設定された音量にかかわらず、所定の音量で前記エラー音声を出力し、
前記通過音出力手段は、前記音量設定手段にて設定された音量にかかわらず、所定の音量で前記遊技球の通過を報知すること
を特徴とする遊技機。
【手続補正２】
【補正対象書類名】明細書
【補正対象項目名】０００２
【補正方法】変更
【補正の内容】
【０００２】
従来、大当たり遊技において、Ｖ領域を遊技球が通過することによって、大当たり抽選の当選確率を高確率の状態に移行させる遊技機がある（例えば、非特許文献１参照）。
【手続補正３】
【補正対象書類名】明細書
【補正対象項目名】０００４
【補正方法】変更
【補正の内容】
【０００４】
しかしながら、Ｖ領域に入賞させることが、上記した非常に利益の有る高確率の状態に移行する条件であることを知らない遊技者が多数存在する。この様な遊技者の中には、ラウンドが終了すると遊技球を打ち出すことを一旦止めてしまい、Ｖ領域に入賞させることができず、その結果として、上記した高確率の状態に移行できなくなってしまうことがあった。結果として、遊技者が不利益を被ることが懸念される。
【手続補正４】
【補正対象書類名】明細書
【補正対象項目名】０００５
【補正方法】変更
【補正の内容】
【０００５】
一方で、このような遊技機では、不正行為や各スイッチの故障により、Ｖ領域を遊技球が通過し得ない遊技状態のときにＶ領域を遊技球が通過したと判定されたりする虞がある。
【手続補正５】
【補正対象書類名】明細書
【補正対象項目名】０００６
【補正方法】変更
【補正の内容】
【０００６】
本発明は、上述した課題を解決するためになされたものであり、その目的は、大当たり遊技において、遊技者やホールが被る虞のある不利益も軽減することが可能な遊技機を提供することにある。
【手続補正６】
【補正対象書類名】明細書
【補正対象項目名】０００８
【補正方法】変更
【補正の内容】
【０００８】
本発明の遊技機（１）は、遊技者の操作に応じて、遊技球が流下可能な遊技領域（２０）に遊技球を発射する発射手段（２１１）と、前記遊技領域に設けられる始動口（２１、２２）に遊技球が入球することにより、特別遊技（大当たり遊技）を行うか否かを判定する特別遊技判定手段（１００）と、前記特別遊技判定手段により前記特別遊技を行うと判定された場合、前記遊技領域に設けられた少なくとも１つの特別入賞口（２３、５１）を開閉させるラウンド遊技（図６の１Ｒ〜８Ｒ）を複数回実行して、当該特別入賞口に遊技球を入球可能にさせる特別遊技を行う特別遊技実行手段（１００、図６参照）と、前記特別遊技実行手段により前記特別遊技が行われているときに前記特別入賞口に入球した遊技球が所定領域（５３）を通過することを条件に、当該特別遊技の終了後、遊技状態を遊技者にとって有利な遊技状態に移行させる遊技状態制御手段（１００）と、前記発射手段により遊技球を発射すべきことを第１の表示手段（６）にて報知する第１の報知手段（１００、４００、５００、６００、８、２９）と、前記発射手段により遊技球を発射すべきことを前記第１の表示手段とは異なる第２の表示手段（４ｈ）にて報知する第２の報知手段（１００）と、音出力手段（３５）からの音量を操作に基づいて設定するための音量設定手段（４００、５００、３８、Ｈ／Ｗボリュームスイッチ）と、前記特別入賞口の閉鎖期間（図６の閉状態の期間）に当該特別入賞口への遊技球の入球に基づく異常入賞エラーを判定する判定手段（１００、１１４、１１７、１１９、Ｓ９０１−１、Ｓ９０１−２）と、前記判定手段にて前記異常入賞エラーと判定されると、当該異常入賞エラーを報知するためのエラー音声を出力するとともに、前記異常入賞エラーを外部情報端子へ出力するエラー出力手段（１００、４００、５００、３５）と、前記所定領域を遊技球が通過した際、当該所定領域の遊技球の通過を音にて報知する通過音出力手段（１００、４００、５００、３５）と、を備え、前記特別遊技実行手段は、前記特別遊技判定手段により第１特別遊技（連続大当たり遊技、確変大当たり遊技）を行うと判定された場合、所定のラウンド遊技（８Ｒ）において前記特別入賞口に入球した遊技球が前記所定領域を通過し易い開閉制御を行う当該第１特別遊技（図６（１）参照）を行い、前記特別遊技判定手段により第２特別遊技（単発大当たり遊技、通常大当たり遊技）を行うと判定された場合、所定のラウンド遊技（８Ｒ）において前記特別入賞口に入球した遊技球が前記所定領域を通過し難い開閉制御を行う当該第２特別遊技（図６（２）参照）を行い、前記第１の報知手段は、前記特別遊技における最初のラウンド遊技の際に、前記特別入賞口に向けて遊技球を発射すべきことを示す報知を行い（図８参照）、前記特別遊技における前記所定のラウンド遊技の際に、前記特別遊技判定手段により前記第１特別遊技を行うと判定されている場合は前記特別入賞口に向けて遊技球を発射すべきことを示す報知を行う一方、前記特別遊技判定手段により前記第２特別遊技を行うと判定されている場合は前記特別入賞口に向けて遊技球を発射すべきことを示す報知を行わず、前記第２の報知手段は、少なくとも前記特別遊技の期間にわたって、前記特別遊技判定手段により前記第１特別遊技を行うと判定されている場合も、前記特別遊技判定手段により前記第２特別遊技を行うと判定されている場合も、遊技球を発射すべきことを報知し、前記エラー出力手段は、前記音量設定手段にて設定された音量にかかわらず、所定の音量で前記エラー音声を出力し（Ｓ１２７５）、前記通過音出力手段は、前記音量設定手段にて設定された音量にかかわらず、所定の音量で前記遊技球の通過を報知すること（Ｓ１２４）を特徴とする。通過音出力手段の出力する「音」は、効果音であってもよいし、メロディーであってもよいし、いわゆる音声であってもよい。
【手続補正７】
【補正対象書類名】明細書
【補正対象項目名】０４０３
【補正方法】変更
【補正の内容】
【０４０３】
１…遊技機（遊技機）
４ｈ…右打ち表示器（第２の表示手段）
６…画像表示部（第１の表示手段）
８…盤ランプ（第１の報知手段）
２０…遊技領域（遊技領域）
２１…第１始動口（始動口）
２２…第２始動口（始動口）
２３…第１大入賞口（特別入賞口）
２９…発光部（第１の報知手段）
３５…スピーカ（音出力手段、エラー出力手段、通過音出力手段）
３８…演出キー（音量設定手段）
５１…第２大入賞口（特別入賞口）
５３…Ｖ領域（所定領域）
１００…メイン制御部（特別遊技判定手段、特別遊技実行手段、遊技状態制御手段、第１の報知手段、第２の報知手段、判定手段、エラー出力手段、通過音出力手段）
１１４…第１大入賞口スイッチ（判定手段）
１１７…第２大入賞口スイッチ（判定手段）
１１９…領域スイッチ（判定手段）
２１１…発射装置（発射手段）
４００…演出制御部（第１の報知手段、音量設定手段、エラー出力手段、通過音出力手段）
５００…画像音響制御部（第１の報知手段、音量設定手段、エラー出力手段、通過音出力手段）
６００…ランプ制御部（第１の報知手段）